(57)【特許請求の範囲】
【請求項１】
一対の上下ハーフを組み合わせて構成するカートリッジ本体と、このカートリッジ本体の内部に回転自在に配設される一対のテープリールと、これらテープリールに掛け渡されて巻回されたテープ状媒体とを有するテープカートリッジにおいて、
いずれか一方のハーフには、誤挿入識別凹部が後方側の外周壁と底面部とに跨って、後方側の外周壁の長手方向の略中央部に位置して設けられ、
このテープカートリッジが収納される収納部には、このテープカートリッジが正規な状態で収納されたとき、上記誤挿入識別凹部に係合する誤挿入識別凸部が立設されると共に逃げ溝が設けられており、
このテープカートリッジが誤挿入されたとき、テープカートリッジの外周壁が上記誤挿入識別凸部に突き当たり、上記逃げ溝に逃げることによって、この誤挿入識別凸部を回動支点として回動することを特徴とするテープカートリッジ。
【請求項２】
上記下ハーフには、金属プレートがインサート成形され、
上記誤挿入識別凹部は、金属プレートの外周縁部に対向する位置に設けられることを特徴とする請求項１に記載のテープカートリッジ。
【発明の詳細な説明】
【０００１】
【発明の属する技術分野】
本発明は、磁気テープ等のテープ状媒体を巻回した一対のテープリールをカートリッジ本体の内部に回転自在に収納したテープカートリッジに関する。
【０００２】
【従来の技術】
従来、例えばビデオテープレコーダ用テープカートリッジやＤＡＴ用テープカートリッジ等のテープカートリッジは、前面部がそれぞれ開放された矩形略浅皿状の下ハーフと上ハーフとを組み合わせてカートリッジ本体が構成される。このカートリッジ本体には、磁気テープを巻回した一対のテープリールが回転自在に収納されるとともに、開放された前面部にローディング空間部が構成されている。ローディング空間部には、テープカートリッジが記録再生装置の装填部に装填されると、この記録再生装置側のテープローディング手段が進入する。ローディング空間部は、カートリッジ本体に回動自在に支持されたリッドによって開閉される。
【０００３】
カートリッジ本体を構成する下ハーフには、ローディング空間部の両側に位置して一対のテープガイドが設けられている。磁気テープは、一方のテープリールから繰り出されてカートリッジ本体の前面部に導かれ、ローディング空間部を横切るようにテープガイド間に掛け合わされて他方のテープリールに巻取られている。
【０００４】
テープカートリッジは、記録再生装置の装填部に装填されると、ローディング空間部に進入するテープローディング手段により、上述したように磁気テープがカートリッジ本体の内部から記録再生部へと引き出されてローディング動作が行われる。また、記録再生装置の装填部から吐き出されたテープカートリッジは、例えば、複数の収納部を有するマガジンラック等の収納体にそれぞれ収納される。
【０００５】
そして、テープカートリッジは、記録再生装置の装填部や、複数個のテープカートリッジが収納されるマガジンラックの収納部に対して、所定の仕様のテープカートリッジが所定の向きで挿入される必要がある。
【０００６】
このため、テープカートリッジには、記録再生装置やマガジンラック等に所定の向きで挿入されるとともに、外形寸法が同一寸法とされて用途が異なる他の仕様のテープカートリッジが誤って挿入されないように、誤挿入識別凹部が設けられている。
【０００７】
図１８に示すように、いわゆるＶＨＳ仕様のビデオレコーダ用のテープカートリッジ１２０には、カートリッジ本体を構成する下ハーフの前面側の外周壁の中央部に比較的大きく切り欠かれた誤挿入識別凹部１２０Ａが設けられている。また、図１９に示すように、デジタルビデオレコーダ用のテープカートリッジ１２１には、前面側の外周壁に誤挿入識別凹部１２１Ａ、１２１Ｂ、１２１Ｃがそれぞれ設けられている。
【０００８】
そして、これらテープカートリッジ１２０、１２１は、誤挿入識別凹部１２０Ａ及び誤挿入識別凹部１２１Ａ乃至１２１Ｃに対応して、記録再生装置の装填部やマガジンラックの収納部に設けられた誤挿入識別凸部と係合することによって、装填部や収納部に対する挿入方向等が規制されている。
【０００９】
【発明が解決しようとする課題】
ところで、上述したテープカートリッジ１２０、１２１は、例えばマガジンラックの収納部に対して誤挿入された際、カートリッジ本体が収納部から突出される突出量が少なく、収納部の外方から誤挿入されたことを目視により識別することが困難であった。
【００１０】
したがって、テープカートリッジ１２０、１２１は、収納部に対して誤挿入された際に、誤挿入されたことを目視により容易に識別するために、収納部に対して挿入口からカートリッジ本体が突出する突出量や収納部の載置面上でカートリッジ本体が回動する回動量を大きくする必要がある。
【００１１】
したがって、誤挿入識別凹部は、収納部に対するカートリッジ本体の突出量を大きくするために、カートリッジ本体の挿入方向に切り欠かれる深さ寸法等を大きくする必要がある。しかしながら、薄型、小型化されたテープカートリッジにおいては、カートリッジ本体に誤挿入識別凹部を大きく切り欠いて設けることが困難であり、大きな誤挿入識別凹部を設けることが小型化に不都合であった。
【００１２】
そこで、本発明は、収納部に対するテープカートリッジの誤挿入を目視により容易かつ確実に識別することを可能とするとともに、カートリッジ本体の小型、薄型化を実現するテープカートリッジを提供することを目的とする。
【００１３】
【課題を解決するための手段】
この目的を達成した本発明に係るテープカートリッジは、いずれか一方のハーフには、誤挿入識別凹部が後方側の外周壁と底面部とに跨って、後方側の外周壁の長手方向の略中央部に位置して設けられ、このテープカートリッジが収納される収納部には、このテープカートリッジが正規な状態で収納されたとき、誤挿入識別凹部に係合する誤挿入識別凸部が立設されると共に逃げ溝が設けられており、このテープカートリッジが誤挿入されたとき、テープカートリッジの外周壁が誤挿入識別凸部に突き当たり、逃げ溝に逃げることによって、この誤挿入識別凸部を回動支点として回動することを特徴とする。
【００１４】
また、下ハーフには、金属プレートがインサート成形され、誤挿入識別凹部は、金属プレートの外周縁部に対向する位置に設けられることを特徴とする。
【００１５】
以上のように構成されたテープカートリッジによれば、後方側の外周壁の長手方向の略中央部に誤挿入識別凹部が設けられることによって、収納部に対してカートリッジ本体が誤挿入された際、テープカートリッジ外周壁が誤挿入識別凸部に突き当たり、この誤挿入識別凸部を回動支点として、大きく振られて回動するため、収納部に対するカートリッジ本体の回動量が大きくなる。したがって、このテープカートリッジは、カートリッジ本体が挿入される挿入口から大きく突出されるため、誤挿入された状態が目視によって容易かつ確実に識別される。また、このテープカートリッジによれば、誤挿入識別凹部の切欠き面積が比較的小さいため、カートリッジ本体の小型、薄型化が図られる。
【００１６】
また、テープカートリッジは、下ハーフにインサート成形された金属プレートの外周縁部に対向する位置に誤挿入識別凹部が設けられることによって、後方側の外周壁と底面部とに跨って切り欠かれた誤挿入識別凹部の機械的剛性が確保される。このため、このテープカートリッジは、誤挿入識別凹部と誤挿入識別凸部とが係合した際に、誤挿入識別凹部が変形することが防止される。
【００１７】
【発明の実施の形態】
以下、本発明の具体的な実施の形態について、図面を参照して詳細に説明する。図１乃至図１７に本発明の実施の形態として示したテープカートリッジ１は、データ記録用のテープカートリッジであって、横長矩形の略浅皿状に形成された下ハーフ３と上ハーフ４とを互いに突き合わせて結合することによって薄箱状のカートリッジ本体２が構成される。テープカートリッジ１は、カートリッジ本体２に、ローディング空間部１０を開閉するフロントリッド６及びバックリッド７を組み合わすとともに、内部に磁気テープ８を巻回した一対のテープリール９Ａ、９Ｂが回転自在に収納されている。
【００１８】
なお、本明細書においては、図１に示したテープカートリッジ１の状態において、フロントリッド６が配設される手前側を「前」として、これを基準としてそれぞれ「前後」、「左右」及び「上下」の方向性を示すものとする。また、上述したテープリール９Ａ、９Ｂのように、一対で構成される部材については、説明の便宜上、最初に、テープリール９（９Ａ、９Ｂ）と表記して、以下特に一方側を説明する場合以外は、単にテープリール９と表記するものとする。
【００１９】
下ハーフ３は、金属製のベースプレート５に合成樹脂材料等でインサート等の射出成形を施すことにより形成されている。このベースプレート５は、図３に示すように、アルミ板や合金板等の金属材料により横長矩形状に形成されている。
【００２０】
また、ベースプレート５は、テープカートリッジ１に対して、所定の重量を付与するとともにねじりや曲げに対する機械的剛性を保持させる作用を奏する。ベースプレート５は、両面の全面に亘って多数個の反り修正凹部５Ａが設けられている。これによって、ベースプレート５は、この上下方向への反りが防止される。
【００２１】
また、ベースプレート５には、テープリール収納部１３の中央部に位置し円形のリール穴１４（１４Ａ、１４Ｂ）がそれぞれ開設されている。このリール穴１４の外周部は、後述するテープリール９の下フランジ部６４（６４Ａ、６４Ｂ）を摩耗させることを防止する平坦面５Ｂとされている。
【００２２】
下ハーフ３は、図３に示すように、前面部１５を除く他の外周部に外周壁１１が一体に立ち上り形成されるとともに、底面部３Ａが中央から左右の２つの領域に区分されて構成されている。底面部３Ａには、区分された左右の領域部に、テープリール９がそれぞれ回転自在に収納されるテープリール収納部１３（１３Ａ、１３Ｂ）を構成する円弧状のテープリール収納壁１２（１２Ａ、１２Ｂ）が同一円周上に位置して一体に立設されている。
【００２３】
下ハーフ３は、開放された前面部１５の中央領域部に、中央部が底面部３Ａのやや内側に位置させた略矩形に切り欠かれた切欠き部１６が設けられている。下ハーフ３には、この切欠き部１６の立上り両側面壁を構成するようにして、一対の側面ガイドリブ１７（１７Ａ、１７Ｂ）が互いに相対向して底面部３Ａに一体に立設されている。これら側面ガイドリブ１７は、カートリッジ本体２の内部空間の高さ寸法よりもやや大とされた高さ寸法を有しており、先端部の外側面にテープガイド１８（１８Ａ、１８Ｂ）がそれぞれ形成されている。
【００２４】
テープガイド１８は、外周面が平滑な円弧面を呈して、側面ガイドリブ１７の先端部の外側面に一体に膨出形成されている。また、これらテープガイド１８は、外側の周面が前面部１５に対して後述するフロントリッド６の厚み寸法よりもやや内側に位置されている。
【００２５】
なお、実施の形態テープカートリッジ１においては、上述したようにテープガイド１８を、側面ガイドリブ１７の先端部の外側面に断面円弧状に一体に形成して構成したが、かかる構成に限定されるものでは無い。テープガイドは、例えば下ハーフ３の底面部３Ａに、切欠き部１６の両側に位置して一体に突設された一対の軸状凸部によって構成してもよい。また、テープガイドは、例えば下ハーフ３の底面部３Ａに、切欠き部１６の両側に位置して一体に突設された一対の支軸と、この支軸にそれぞれ組み合わされたスリーブによって構成してもよい。
【００２６】
側面ガイドリブ１７には、相対する内面に同一形状のリッドガイド溝１９（１９Ａ、１９Ｂ）がそれぞれ凹設されている。これらリッドガイド溝１９は、側面ガイドリブ１７の内側の先端部を起点として外側面の終端まで、高さ方向及び前後方向のほぼ全域に亘って前下がりのカム溝として凹設されている。また、これらリッドガイド溝１９は、凸字状の円弧溝と凹字状の円弧溝とが組み合わされた全体が略々Ｓ字状を呈している。
【００２７】
下ハーフ３には、切欠き部１６の内側の立上り周壁を構成するようにして外周リブ２０が底面部３Ａに一体に立設されている。この外周リブ２０は、側面ガイドリブ１７の高さ寸法に対して略１／２の高さ寸法を有しており、図３に示すように、両端がそれぞれ側面ガイドリブ１７の内側縁と一体に連結されている。この外周リブ２０には、中央部の内側に位置してテープ終端検出用光源進入部２１が一体に形成されている。
【００２８】
このテープ終端検出用光源進入部２１は、外周リブ２０の中央部に突設された内側に向いたコ字状の立壁と、この立壁と相対する円弧状の立壁と、下ハーフ３の底面部３Ａを貫通する光源進入穴とから構成されている。テープ終端検出用光源進入部２１は、コ字状の立壁と円弧状の立壁との間に、後述するテープ終端検出用光源６９の検出光の出射開口となる開口部がそれぞれ側方に位置して構成されている。また、外周リブ２０には、内面側に位置して、円弧状のテープリール収納壁２２（２２Ａ、２２Ｂ）が一端部を連結されて一体に形成されている。したがって、テープ終端検出用光源進入部２１は、外周リブ２０とテープリール収納壁２２に包絡された略正三角形の空間部に位置して設けられている。
【００２９】
リール収納壁２２は、上述したテープリール収納壁１２と同一円周上に位置して下ハーフ３の底面部３Ａに一体に突設されており、互いに協動して下ハーフ３側のテープリール収納部１３を構成している。なお、テープリール収納壁２２の他端部には、嵌合筒部３０の１個が一体に形成されている。また、下ハーフ３には、底面部３Ａの適宜の箇所に、それぞれ筒状の嵌合筒部３０が一体に突設されている。
【００３０】
下ハーフ３には、両側面部の前方側に位置して、テープ終端検出穴２３（２３Ａ、２３Ｂ）がそれぞれ開設されている。これらテープ終端検出穴２３は、外周リブ２０の内面に沿ったテープ終端検出用の光源６９の光路の延長線上に位置して外周壁１１にそれぞれ開設されている。
【００３１】
テープ終端検出用光源進入部２１は、上述したように全体として筒状を呈して構成されており、その上端開放部分に断面コ字状を呈する光源カバー７０が固定される。光源カバー７０は、後述するようにテープカートリッジ１が記録再生装置１０１に装填された状態において、この記録再生装置１０１側に配設されてテープ終端検出用光源進入部２１に進入されたテープ終端検出用の光源６９から出射される検出光の拡散を防止するとともにテープカートリッジ１内への塵埃等の進入を防止する。
【００３２】
下ハーフ３には、右側面部に、外周壁１１の一部をコ字状に折り返して内側壁１１Ａと外側壁１１Ｂとの間に前面部１５側に開口する前後方向のリッド開放ガイド溝２４が設けられている。リッド開放ガイド溝２４には、テープカートリッジ１が記録再生装置１０１に装填されると、この記録再生装置１０１側のリッド駆動部材が進入して後述するリッド構体をロック状態に保持するリッドロック機構を駆動する。
【００３３】
リッドロック機構は、リッドロックレバー７１から構成され、リッド開放ガイド溝２４に沿って下ハーフ３側に配設されている。すなわち、これらリッド開放ガイド溝２４を構成する外周壁１１には、上縁部にリッドロックレバー取付部２５が一体に形成されている。
【００３４】
リッドロックレバー７１は、詳細を省略するが、図２に示すように、それぞれリッド開放ガイド溝２４の幅とほぼ等しい厚みを有する全体略楔状に形成されている。これらリッドロックレバー７１は、上端部に軸状の支点部が形成されるとともに、前方側面部にカム部が一体に突設されている。リッドロックレバー７１は、支点部をリッドロックレバー取付部２５に相対係合させることによって下端部がリッド開放ガイド溝２４に臨ませられて下ハーフ３側に揺動自在に支持される。
【００３５】
下ハーフ３には、図３に示すように、外周リブ２０と対向する後方側のテープリール収納部１３Ａ、１３Ｂとの間に構成される略正三角形の空間部に位置して、リールロック取付部２７が設けられている。リールロック取付部２７は、互いに前後方向に平行に対峙して底面部３Ａに一体に立設された一対のガイド壁によって構成されており、後述するリールロック機構が配設される。リールロック取付部２７を構成するガイド壁間には、リールロック機構を駆動する記録再生装置１０１側のリールロック解除部材が進入するロック解除ガイド溝２８が開設されている。
【００３６】
リールロック機構は、図２に示すように、リールロック部材７３と、一対のリールロックレバー７４（７４Ａ、７４Ｂ）と、ロックスプリング７５等の部材によって構成されている。リールロック部材７３は、リールロック取付部２７のガイド壁間にスライド自在に組み込まれ、底面部にロック解除ガイド溝２８に臨む係合凹部が設けられている。リールロック部材７３は、立上り周壁１１との間に介挿されたロックスプリング７５の弾性力によって前面側へと付勢されている。
【００３７】
リールロックレバー７４は、可撓性を有しており、一端部がそれぞれリールロック部材７３の前面部にヒンジ部を介して回動自在に設けられている。これらリールロックレバー７４は、先端部に係合爪が一体に形成されており、左右方向へ付勢されている。
【００３８】
リールロック機構は、リールロック部材７３がロックスプリング７５の弾性力により前方側に移動された状態において、リールロックレバー７４の係合爪がロックレバースプリング７５の弾性力によって後述するテープリール９の下フランジ部６４の外周歯６５（６５Ａ、６５Ｂ）にそれぞれ相対係合される。したがって、リールロック機構は、通常の状態で、一方のテープリール９Ａを時計方向に対してロック状態に保持し、また他方のテープリール９Ｂを反時計方向に対してロツク状態に保持する。
【００３９】
また、リールロック機構は、テープカートリッジ１が記録再生装置１０１に装填されることにより、ロック解除ガイド溝２８に進入する記録再生装置１０１側のリールロック解除部材によって駆動される。リールロック機構は、リールロック解除部材によりリールロック部材７３がロックスプリング７５の弾性力に抗して後方側へと移動動作され、上述したリールロックレバー７４によるテープリール９のロック状態を解除する。
【００４０】
下ハーフ３は、後方側の底面部３Ａに、図４に示すように、テープ仕様識別穴７７（７７Ａ、７７Ｂ、７７Ｃ）、誤消去防止穴７８、位置決め穴７９等が設けられている。このテープ仕様識別穴７７は、記録再生装置１０１側の仕様識別機構によって、カートリッジ本体２に収納された磁気テープ８の信号フォーマット、記録密度等のテープ仕様を識別させる。誤消去防止穴７８は、目視や記録再生装置１０１側の仕様識別機構によって、記録された内容の消去の良否を識別させる。また、位置決め穴７９は、記録再生装置１０１側の位置決め部材が進入することによって、テープカートリッジ１を所定の位置に確実に装填させる。
【００４１】
また、下ハーフ３には、図３、図４及び図５に示すように、本実施の形態の要部である誤挿入識別凹部３８Ａ、３８Ｂが、後方側の外周壁１１と底面部３Ａとに跨って、後方側の外周壁１１の長手方向の略中央部に位置して略矩形にそれぞれ切り欠かれて設けられている。
【００４２】
また、これら誤挿入識別凹部３８Ａ、３８Ｂは、下ハーフ３の後方側の外周壁１１の長手方向の中央部に対して、対称な位置に設けられている。さらに、これら誤挿入識別凹部３８Ａ、３８Ｂは、底面部３Ａにインサート成形されたベースプレート５の外周縁部に対向する位置にそれぞれ設けられている。
【００４３】
そして、これら誤挿入識別凹部３８Ａ、３８Ｂは、後述する記録再生装置１０１やマガジンラック１０２に対してテープカートリッジ１が挿入される向きを規制している。
【００４４】
また、下ハーフ３には、図５に示すように、後方側の外周壁１１に、略矩形状のラベルエリアＬが凹設されている。このラベルエリアＬには、テープカートリッジ１に記録された収録内容等の表示ラベルが貼り付けられる。
【００４５】
また、下ハーフ３には、図５に示すように、後方側の右コーナ部に位置して、配線基板取付部９０が設けられている。この配線基板取付部９０は、内周面に亘って差込み溝が設けられている。この配線基板取付部９０には、図２に示すように、補助記憶装置９１が取り付けられている。
【００４６】
補助記憶装置９１は、図２に示すように、少なくとも配線基板９２と、この配線基板９２に実装されたメモリＩＣ９３と、このメモリＩＣ９３の入出力端子となる配線基板９２に印刷形成された複数の接点端子９４とから構成されている。メモリＩＣ９３には、例えば磁気テープ２に記録された情報信号の内容、磁気テープ仕様或いは使用状況等の識別情報が記録されている。接点端子９４は、図５に示すように、配線基板取付部９０に開設された接点端子開口部９０Ａから外方に臨ませている。
【００４７】
この補助記憶装置９１は、メモリＩＣ９３に記録された識別情報が、記録再生装置１０１に設けられた補助記録再生装置１０１或いは別装置である補助記録再生装置によって読み取られ、さらに更新された識別情報がメモリＩＣ９３に記録される。
【００４８】
また、下ハーフ３には、図５に示すように、後方側の左コーナ部に位置して、誤消去防止部材取付開口部２９が設けられている。この誤消去防止部材取付開口部２９には、誤消去防止部材７６が移動自在に組み付けられている。誤消去防止部材７６は、下ハーフ５に開設された誤消去検出穴を開放する第１の位置２９Ａと、閉塞する第２の位置２９Ｂとに移動操作される。
【００４９】
テープカートリッジ１は、誤消去防止部材７６が誤消去検出穴７８を開放した第１の位置２９Ａに設定された状態で記録再生装置１０１に装填されると、記録再生装置１０１側の誤消去検出機構が誤消去検出穴７８を検出することによって磁気テープ８への情報信号の記録が禁止される。これによって、テープカートリッジ１は、磁気テープ８に記録された情報信号が誤って消去されることが防止される。
【００５０】
また、テープカートリッジ１は、誤消去防止部材７６が誤消去検出穴７８を閉塞した第２の位置２９Ｂに設定された状態で記録再生装置１０１に装填されると、誤消去検出機構による誤消去検出穴７８の検出が行われないため、磁気テープ８への情報信号の記録が許可される。
【００５１】
下ハーフ３は、図６に示すように、テープ仕様識別穴７７Ａの近傍の外周壁１１に位置して、チェンジャ装置１０３の一対のアーム部材１０３Ａ、１０３Ｂによって挟持される一対のアーム係合凹部８１（８１Ａ、８１Ｂ）が設けられている。一対のアーム係合凹部８１は、外周壁１１の基端部を起点として外周壁１１の先端部まで略凹字状の係合溝が形成されている。また、一対のアーム係合凹部８１は、溝底部８１ｃ側の内形寸法より開口部側の内形寸法が大とされるように前方傾斜面８１ａ及び後方傾斜面８１ｂがそれぞれ設けられている。後方傾斜面８１ｂには、図６に示すように、図示しない成形金型によって、下ハーフ３が射出成形される際、合成樹脂材料等が流し込まれる成形金型のゲート部に対応する位置に、ゲート跡９９が残っている。
【００５２】
テープカートリッジ１は、チェンジャ装置１０３に装填されると、このチェンジャ装置１０３の一対のアーム部材１０３Ａ、１０３Ｂによってこの一対のアーム係合凹部８１が係合されることによって、記録再生装置１０１に対して差し込み動作或いは取り出し動作が行われる。
【００５３】
また、下ハーフ３は、図６に示すように、両側面部に設けられた一対のアーム係合凹部８１の後方側に位置して、複数個の略凹凸状の一対のアーム引き出し凹凸部９５（９５Ａ、９５Ｂ）が設けられている。
【００５４】
また、上述したように、ゲート跡９９の周囲には、フローマーク１００が生じてしまう。しかしながら、下ハーフ３は、図６に示すように、一対のアーム引き出し凹凸部９５の複数個の凸部９５ａが設けられることによって、フローマーク１００が外観上目立たないようにされている。
【００５５】
下ハーフ３は、両側面部に設けられた一対のアーム係合凹部８１の前方側に位置して、複数個の略凹凸状の滑り止め凹凸部８４（８４Ａ、８４Ｂ）が設けられている。テープカートリッジ１は、ユーザーが滑り止め凹凸部８４を挟持することにより、記録再生装置１０１に対して差し込み動作或いは取り出し動作が行われる。
【００５６】
上ハーフ４は、図７に示すように、前面部３６を除く他の外周部に外周壁３１が一体に立ち上り形成されるとともに、底面部４Ａが中央から左右の２つの領域に区分されて構成されている。底面部４Ａの内面には、区分された左右の領域に、上述した下ハーフ３のテープリール収納部１３と協動してテープリール９をそれぞれ回転自在に収納する上ハーフ４側のリール収納部３３（３３Ａ、３３Ｂ）を構成する複数の円弧状のテープリール収納壁３２（３２Ａ、３２Ｂ）が同一円周上に位置して一体に立設されている。底面部４Ａには、テープリール収納部３３の一部の領域を透視可能とする略横長矩形のウインドウ３４が設けられている。
【００５７】
上ハーフ４は、開放された前面部３６の中央領域部に、中央部を底面部４Ａに略矩形の切欠き部３７が設けられるとともに、この切欠き部３７の両側部分の前端部３５（３５Ａ、３５Ｂ）が庇状に突出されて構成されている。
【００５８】
上ハーフ４には、切欠き部３７の内側の立上り周壁を構成するようにして外周リブ３９が底面部４Ａに一体に立設されている。この外周リブ３９は、外周壁３１とほぼ等しい高さ寸法を有しているが、中央部分が下ハーフ３側に形成したテープ終端検出用光源進入部２１に対応してやや低い高さとされている。
【００５９】
外周リブ３９は、後述するように上ハーフ４を下ハーフ３に組み合わせた状態において、下ハーフ３側の側面ガイドリブ１７の内側に対応位置される。したがって、これら外周リブ３９の両端部と側面ガイドリブ１７とは、下ハーフ３と上ハーフ４とを組み合わせるに際して、最初に衝合される。そして、外周リブ３９は、下ハーフ３と上ハーフ４とを組み合わせた状態において、側面ガイドリブ１７の内側縁と近接して対向位置される。
【００６０】
外周リブ３９には、中央部の内側に位置して下ハーフ３側のテープ終端検出用光源進入部２１に対応して光源カバー押さえ部４１が一体に形成されている。この光源カバー押さえ部４１は、上ハーフ４を下ハーフ３に組み合わせた状態において、テープ終端検出用光源進入部２１に組み合わされた光源カバー７０を係止する。光源カバー押さえ部４１の内側には、嵌合筒部４７の１個が一体に形成されている。また、上ハーフ４には、底面部４Ａの適宜の箇所に、それぞれ筒状の嵌合筒部４７が一体に突設されている。
【００６１】
上ハーフ４には、両側面の外周壁３１の前方部に、互いに軸線が一致されて断面Ｕ字状のフロントリッド係合凹部４４（４４Ａ、４４Ｂ）がそれぞれ設けられている。
【００６２】
さらに、上ハーフ４には、フロントリッド係合凹部４４Ｂの後方側に位置して前後方向のリッドロックガイド凹部４５が凹設されている。これらリッドロックガイド凹部４５は、上ハーフ４を下ハーフ３に組み合わせた状態において、この下ハーフ３側の上述したリッドロックレバー取付部２５にそれぞれ対応位置する。
【００６３】
上ハーフ４には、底面部４Ａの内面にリール押さえバネ取付部４６（４６Ａ、４６Ｂ）が設けられている。これらリール押さえバネ取付部４６は、ウインドウ３４の前方側でかつリール収納部３３の中心線上に位置して形成されている。リール押さえバネ取付部４６には、一端部を熱溶着等することによって固定されたリール押さえバネ６８（６８Ａ、６８Ｂ）がそれぞれ固定されている。これらリール押さえバネ６８は、先端部がそれぞれテープリール９に当接して下ハーフ３側へと押し付けることにより、カートリッジ本体２の内部においてこれらテープリール９の高さ方向の遊動を防止している。
【００６４】
上ハーフ４は、図６に示すように、下ハーフ３の一対のアーム係合凹部８１に対応して、チェンジャ装置１０３の一対のアーム部材１０３Ａ、１０３Ｂによって挟持される一対のアーム係合凹部８５（８５Ａ、８５Ｂ）が設けられている。一対のアーム係合凹部８５は、外周壁１１の基端部を起点として外周壁１１の先端部まで略凹字状の係合溝が形成されている。また、一対のアーム係合凹部８５は、溝底部８５ｃ側の内形寸法より開口部側の内形寸法が大とされるように前方傾斜面８５ａ及び後方傾斜面８５ｂがそれぞれ設けられている。
【００６５】
後方傾斜面８１ｂには、図６に示すように、図示しない成形金型によって上ハーフ４が射出成形される際、合成樹脂材料等が流し込まれる成形金型のゲート部に対応する位置に、ゲート跡９９が残っている。テープカートリッジ１は、チェンジャ装置１０３に装填されると、このチェンジャ装置１０３の一対のアーム部材１０３Ａ、１０３Ｂによってこの一対のアーム係合凹部８５が係合されることによって、記録再生装置１０１に対して差し込み動作或いは取り出し動作が行われる。
【００６６】
また、上ハーフ４は、図６に示すように、両側面部に設けられた一対のアーム係合凹部８５の後方側に位置して、複数個の略凹凸状の一対のアーム引き出し凹凸部９７（９７Ａ、９７Ｂ）が設けられている。
【００６７】
また、上述したように、ゲート跡９９の周囲には、フローマーク１００が生じてしまう。しかしながら、上ハーフ４は、図６に示すように、一対のアーム引き出し凹凸部９５の複数個の凸部９５ａが設けられることによって、フローマーク１００が外観上目立たないようにされている。
【００６８】
上ハーフ４には、両側面部に設けられた一対のアーム係合凹部８５の前方側に位置して、複数個の略凹凸状の滑り止め凹凸部８６（８６Ａ、８６Ｂ）が設けられている。テープカートリッジ１は、ユーザーが滑り止め凹凸部８６を挟持することにより、記録再生装置１０１に対して差し込み動作或いは取り出し動作が行われる。
【００６９】
これら上ハーフ４と下ハーフ３とは、図２に示すように、それぞれ相対向する外周壁１１と外周壁３１、テープリール収納壁１２とリール収納壁３２、外周リブ２０と外周リブ３９及び嵌合筒部３０と嵌合筒部４７とをそれぞれ突き合わせて組み合わされた状態で、嵌合筒部３０と嵌合筒部４７とにねじ込まれる止めねじ２６によって一体に結合されて、上述した薄箱状のカートリッジ本体２を構成する。
【００７０】
カートリッジ本体２は、図１に示すように、外周壁１１と外周壁３１、外周リブ２０と外周リブ３９とによって、前面部を除く外周部が閉塞され、内部には下ハーフ３側のテープリール収納部１３Ａ、１３Ｂと上ハーフ４側のテープリール収納部３３Ａ、３３Ｂとが協動して、長手方向に隣り合った２つの円形空間であるテープリール収納部が構成される。
【００７１】
以上のように構成されたカートリッジ本体２には、図２に示すように、開放された前面部にフロントリッド６及びバックリッド７からなるリッド構体が組み合わされる。フロントリッド６は、図２に示すように、カートリッジ本体２の前面部を閉塞するに足る長さ及び高さを有する矩形板状の主面部４８と、この主面部４８の両端部にそれぞれ後方側に向かって一体に突設された側面部４９（４９Ａ、４９Ｂ）とからなり、断面略々コ字状を呈して構成されている。フロントリッド６は、主面部４８の内面に、それぞれ突出されて後述するバックリッド７との連結を行うための連結部５０（５０Ａ、５０Ｂ）が一体に形成されている。
【００７２】
また、フロントリッド６は、側面部４９の内面に互いに軸線を一致させて支軸部５１（５１Ａ、５１Ｂ）がそれぞれ一体に突設されている。また、一方側面部４９Ａには、先端部の内面側に軸状のカム凸部５２が一体に突設されている。一方支軸部５１Ｂには、トーションスプリングからなるフロントリッドスプリング５３が装着されている。
【００７３】
バックリッド７は、カートリッジ本体２のローディング空間部１０を閉塞するに足る長さ及び高さを有する矩形板状の第１の主面部５４と、上ハーフ４の前端部３５とほぼ等しい長さ及び幅を有する矩形板状の第２の主面部５７とを一体に形成して構成されている。バックリッド７は、この第１の主面部５４の両側上縁部に、軸状の支点部５５（５５Ａ、５５Ｂ）がそれぞれ一体に突設され、第１の主面部５４の両側下縁部に、軸状のカム凸部５６（５６Ａ、５６Ｂ）がそれぞれ一体に突設されている。バックリッド７は、第１の主面部５４の下方部が次第に前面側へと傾斜する傾斜面として構成されている。
【００７４】
フロントリッド６は、連結部５０がバックリッド７の支点部５５にそれぞれ相対係合されることによって、図２に示すように、バックリッド７の前方部に回動自在に組み合わされる。このようにして、フロントリッド６及びバックリッド７は、互いに組み合わされてリッド構体を構成する。リッド構体は、カートリッジ本体２に組み合わされた状態において、所定の間隔を以って互いに平行に対峙するフロントリッド６とバックリッド７との間に磁気テープ８が延在させる。
【００７５】
リッド構体は、カム凸部５６がそれぞれ下ハーフ３側の側面ガイドリブ１７に形成されたリッドガイド溝１９に相対係合することにより、バックリッド７がカートリッジ本体２に組み合わされる。バックリッド７は、フロントリッド６の内側に位置しかつローディング空間部１０の前方部を閉塞する。リッド構体は、支軸部５１を上ハーフ４側のフロントリッド係合凹部４４に係合されることにより、フロントリッド６がカートリッジ本体２に組み合わされる。
【００７６】
フロントリッド６は、カートリッジ本体２に組み合わされた状態において、開放された前面部を全域に亘って閉塞する。フロントリッド６の支軸部５１は、上ハーフ４の外周壁３１に突き合わされる下ハーフ３側の両外周壁１１によって、フロントリッド係合凹部４４内で回動自在な状態で係止保持される。フロントリッド６は、一方支軸部５１Ｂに装着したフロントリッドスプリング５３の弾性力により、カートリッジ本体２の前面部を閉塞する方向に付勢されている。
【００７７】
また、フロントリッド６は、カートリッジ本体２に組み合わされた状態において、ロックカム部５２がそれぞれ下ハーフ３側のリッド開放ガイド溝２４にそれぞれ臨ませられる。ロックカム部５２は、上述したように、リッド開放ガイド溝２４に臨ませられて下ハーフ３側に組み付けられたリッドロック機構を構成するリッドロックレバー７１のカム部とそれぞれ相対係合されることにより、カートリッジ本体２の前面部を閉塞した状態に保持される。
【００７８】
磁気テープ８は、図２に示すように、先端部にそれぞれ透明なリーディングテープ６１がセンシングテープを介して接続されている。磁気テープ８は、両端のリーディングテープ６１がテープリール９にそれぞれ固定されて巻回される。テープリール９は、左右同一に構成されており、以下、一方のテープリール９Ａの構成について代表して説明する。
【００７９】
テープリール９は、図２に示すように、外周部に磁気テープ８が巻回されるとともに中心に記録再生装置１０１側のリール駆動軸が嵌合されるリール駆動軸嵌合穴６３（６３Ａ、６３Ｂ）が設けられた筒状のコア部６２（６２Ａ、６２Ｂ）と、このコア部６２の下側面の外周部に一体に形成された下フランジ部６４と、コア部６２に結合される上フランジ部材６６及び磁気テープ８を固定するためのクランパー６７とから構成されている。コア部６２は、詳細を省略するが、中心コアと、複数の放射状リブを介して同心に連設されて外周部に磁気テープ８が巻回される外周コアとから構成されている。リール駆動軸嵌合穴６３は、これら中心コアと外周コアとで構成されるとともに放射状リブによって区割りされた環状空間部によって構成されている。
【００８０】
コア部６２には、中心コアの上端面に、上フランジ部材６６が組み合わされる際の位置決めダボが設けられている。コア部６２は、クランパー６７を嵌合するために、外周コアの一部が軸方向に切り欠かれている。放射状リブは、リール駆動軸嵌合穴６３に嵌合される記録再生装置１０１側のリール駆動軸の外周部に形成された回止めリブと相対係合することにより、テープリール９が回転方向に対して一体化されるように作用する。
【００８１】
上述したコア部６２と一体に形成された下フランジ部６４は、カートリッジ本体２のリール収納部の内径に対してやや小径とされ、外周面の全周に亘って上述したリールロック機構のリールロックレバー７４が相対係合する外周歯６５が一体に形成されている。外周歯６５は、例えば一方向性のラチェット歯等によって構成されており、相対係合されたリールロックレバー７４によってテープリール９を磁気テープ８の繰り出し方向に対してロック状態とする。
【００８２】
上フランジ部材６６は、中心に形成した位置決め穴が位置決めダボに相対係合されて位置合わせされた状態でコア部６２の上面側に組み合わされる。コア部６２と上フランジ部材６６は、互いに組み合わされた状態で、超音波溶着処理等を施すことによって一体化される。上フランジ部材６６は、例えば透明な合成樹脂材料によって成形されることにより、コア部６２に巻回された磁気テープ８の状態を上ハーフ４のウインドウ３４から透視可能としている。
【００８３】
以上のように構成されたテープリール９は、リール駆動軸嵌合穴６３を下ハーフ３のリール穴１４ら臨ませて、それぞれカートリッジ本体２のテープリール収納部内に回転自在に収納される。テープリール９は、上述したようにリールロック機構によって磁気テープ８の繰り出し方向の回転が規制されている。テープリール９は、上述したようにリール押さえバネ６８によって高さ方向の遊動が規制される。
【００８４】
磁気テープ８は、右側テープリール９Ａの外周壁１１側から繰り出されて右側テープガイド１８Ａに掛け合わされる。磁気テープ８は、カートリッジ本体２の前面部に沿って導かれてローディング空間部１０を横断して左側テープガイド１８Ｂに掛け合わされ、外周壁１１側から左側テープリール１８Ｂに巻き取られる。磁気テープ８は、ローディング空間部１０を横断する部分が、フロントリッド６とバックリッド７との間に延在されることによって、保護されている。
【００８５】
以上のように構成された実施の形態テープカートリッジ１は、後述する記録再生装置１０１の挿入口１０１Ａから差し込まれると、この記録再生装置１０１の装填部へと装填される。テープカートリッジ１は、記録再生装置１０１に装填されると、カートリッジ本体２のリール穴１４から記録再生装置１０１側のリール駆動軸がそれぞれ進入してテープリール９のリール駆動軸嵌合穴６３にそれぞれ係合される。
【００８６】
テープカートリッジ１は、記録再生装置１０１側のリッドロック解除部材がリッド開放ガイド溝２４に進入してリッドロック機構を駆動する。リッドロック機構を構成するリッドロックレバー７１は、リッドロック解除部材によって回動動作されて、リッド構体を構成するフロントリッド６のロック状態を解除する。
【００８７】
リッド構体は、フロントリッド６が、上述したリッドロック機構によるロック状態が解除された状態で、リッド開放ガイド溝２４に進入するリッド駆動部材によってフロントリッドスプリング５３の弾性力に抗して回動動作される。フロントリッド６は、支軸部５１を支点として、図１において反時計方向へと回動動作するとともに、連結部５０を介してバックリッド７を駆動する。
【００８８】
バックリッド７は、支点部５５がフロントリッド６の連結部５０に回動自在に支持されながら、ガイドカム５９が係合するリッドガイド溝１９の前方部から後方部へと移動することによって、上ハーフ４の後方側へとやや回動しながらスライド動作する。
【００８９】
バックリッド７は、フロントリッド６に対向した状態から、バックリッド７に重ね合わされるようにして回動動作する。なお、フロントリッド６は、カートリッジ本体２の前面部を開放した状態において、側面部４９に設けられたテープ終端検出穴４９ａ、４９ｂがカートリッジ本体２のテープ終端検出穴２３にそれぞれ対向位置する。
【００９０】
テープカートリッジ１は、上述したリッド構体の動作によって、フロントリッド６によるカートリッジ本体２の前面部の閉塞状態及びバックリッド７によるローディング空間部１０の閉塞状態がそれぞれ開放状態へと移行される。開放されたローディング空間部１０には、磁気テープ８が横断した状態で露呈される。
【００９１】
テープカートリッジ１は、記録再生装置１０１側のリールロック解除部材によってロック解除ガイド溝２８に進入されてリールロック機構が駆動される。リールロック解除部材は、ロックレバースプリング７５の弾性力に抗してリールロック部材７３を後方側へと移動動作させる。リールロックレバー７４は、このリールロック部材７３の動作によって、テープリール９の外周歯６５との係合状態が解除されてテープリール９を回転可能な状態とする。
【００９２】
記録再生装置１０１側のローディング機構は、開放されたローディング空間部１０に進入し、テープリール９から磁気テープ８を引き出して記録再生部へとローディングさせる。テープカートリッジ１には、記録再生装置１０１側のテープ終端検出用の光源６９がテープ終端検出用光源進入部２１に進入する。
【００９３】
テープカートリッジ１は、記録操作、再生操作或いは早送り操作、巻戻し操作等が行われることにより、リール駆動軸が駆動されてテープリール９が回転駆動される。テープ終端検出用の光源６９は、磁気テープ８の駆動動作によって電源が供給されて検出光を出射する。検出光は、下ハーフ３の外周リブ２０及び上ハーフ４の外周リブ３９に沿ってテープ走行路を横切って外周壁１１に設けられたテープ終端検出穴２３へと導かれる。
【００９４】
検出光は、テープ走行路に磁気テープ８が存在する場合には、この磁気テープ８に反射されてテープ終端検出穴２３からカートリッジ本体２の外方へと露光されない。一方、検出光は、テープ走行路に透明なリーダテープ６１が存在する場合には、このリーダテープ６１を透過してテープ終端検出穴２３からカートリッジ本体２の外方へと露光されて記録再生装置１０１側のテープ終端検出センサによって検出される。記録再生装置１０１は、このテープ終端検出センサの出力によってリール駆動軸を停止させて、磁気テープ８の送り動作を停止させる。
【００９５】
テープカートリッジ１は、記録操作、再生操作或いは早送り操作、巻戻し操作等が終了すると、記録再生装置１０１側のリールロック解除部材がロック解除ガイド溝２８から退出することによって、ロックレバースプリング７５の弾性力によりリールロック部材７３が前方側へと移動動作される。リールロックレバー７４は、このリールロック部材７３の動作によって、テープリール９の外周歯６５と再び係合してテープリール９を磁気テープ８の繰り出し方向に対してロック状態とする。
【００９６】
テープカートリッジ１は、リッド開放ガイド溝２４から記録再生装置１０１側のリッド駆動部材及びリッドロック解除部材が退出することによって、リッド構体が初期状態へと復帰動作する。リッド構体は、フロントリッドスプリング５３の弾性力により、フロントリッド６が支軸部５１を支点として、図１において時計方向へと回動動作してカートリッジ本体２の前面部を閉塞する方向に復帰回動する。フロントリッド６は、連結部５０を介してバックリッド７を復帰動作させる。
【００９７】
バックリッド７は、ガイドカム５９が係合するリッドガイド溝１９の後方部から前方部へと移動することにより、上ハーフ４に沿って前方側へとスライド動作するとともに、バックリッド７を駆動する。バックリッド７は、カム凸部５６が係合する側面ガイドリブ１７のリッドガイド溝１９の上方部から下方部へと移動することによって、ローディング空間部１０を閉塞する初期位置へと復帰動作する。
【００９８】
リッドロック機構は、上述した動作によって初期位置へと復帰したフロントリッド６のロックカム部５２にリッドロックレバー７１のカム部が相対係合することによって、リッド構体をロック状態に保持する。テープカートリッジ１は、リッド構体によってカートリッジ本体２の前面部及びローディング空間部１０が閉塞された状態で、リール穴１４から記録再生装置１０１側のリール駆動軸が退出し、記録再生装置１０１の挿入口１０１Ａから排出される。
【００９９】
そして、以上のように構成されたテープカートリッジ１は、例えば図８に示すようなテープカートリッジの自動記録再生装置１００に用いられる。このテープカートリッジの自動記録再生装置１００は、概略、図８に示すように、テープカートリッジを記録再生する記録再生装置１０１と、この記録再生装置１０１によって記録再生される複数個のテープカートリッジ１が収納されるマガジンラック１０２と、このマガジンラック１０２と記録再生装置１０１とにテープカートリッジ１を搬送するチェンジャ装置１０３とを備えている。
【０１００】
記録再生装置１０１は、図８に示すように、マガジンラック１０２に隣接して配設されており、テープカートリッジ１が装填及び吐き出される挿入口１０１Ａが開設されている。また、この記録再生装置１０１には、テープカートリッジ１が装填される装填部に、テープカートリッジ１の誤挿入識別凹部３８Ａ、３８Ｂに対応して、図示しない誤挿入識別凸部が立設されている。
【０１０１】
マガジンラック１０２は、図８、図９及び図１０に示すように、テープカートリッジ１が収納される複数の収納部が形成されている。このマガジンラック１０２は、各収納部の挿入口が記録再生装置１０１の挿入口１０１Ａと同一方向に開設されている。これら各収納部には、テープカートリッジ１が載置される載置面上に、このテープカートリッジ１の誤挿入識別凹部３８Ａ、３８Ｂに対応して、円柱状の誤挿入識別凸部１０２Ａ、１０２Ｂがそれぞれ立設されている。
【０１０２】
また、これら各収納部には、収納されたテープカートリッジ１の両側面部に対応する側面部に逃げ溝１０５Ａ、１０５Ｂがそれぞれ開設されており、またテープカートリッジ１の後方側の外周壁１１に対応する突当面に逃げ溝１０５Ｃが開設されている。これら逃げ溝１０５Ａ、１０５Ｂ、１０５Ｃは、図９及び図１３に示すように、収納部にテープカートリッジ１等が誤挿入された際に、この収納部の載置面上においてテープカートリッジ１等を回転可能としている。また、逃げ溝１０５Ｃは、収納部に収納されたテープカートリッジ１の背面部に貼り付けられた表示ラベルを、マガジンラック１０２の外方から目視可能としている。
【０１０３】
チェンジャ装置１０３は、テープカートリッジ１を挟持する一対のアーム部材１０３Ａ、１０３Ｂと、これらアーム部材１０３Ａ、１０３Ｂの基端部を揺動自在に支持するアーム支持部材１０３Ｃと、アーム部材１０３Ａ、１０３Ｂを挟持動作させるとともに記録再生装置１０１とマガジンラック１０２との間を移動動作させる図示しない駆動装置とを備えている。
【０１０４】
以上のように構成されたテープカートリッジの自動記録再生装置１００について、チェンジャ装置１０３を介してマガジンラック１０２に収納されたテープカートリッジ１を記録再生装置１０１に装填する動作、及びテープカートリッジ１がマガジンラック１０２に収納される状態を図面を参照して説明する。
【０１０５】
まず、チェンジャ装置１０３は、アーム部材１０３Ａ、１０３Ｂによってテープカートリッジ１のアーム係合凹部８１、８５を挟持して、マガジンラック１０２の収納部１０５に収納されたテープカートリッジ１を取り出す。チェンジャ装置１０３は、アーム部材１０３Ａ、１０３Ｂによってテープカートリッジ１を挟持した状態で、アーム部材１０３Ａ、１０３Ｂを記録再生装置１０１側に平行移動することによって、テープカートリッジ１を記録再生装置１０１の挿入口１０１Ａへ搬送する。そして、チェンジャ装置１０３は、テープカートリッジ１を記録再生装置１０１の挿入口１０１Ａから装填部に装填する。
【０１０６】
記録再生装置１０１は、装填部にテープカートリッジ１が所定の向きで装填された際、このテープカートリッジ１の誤挿入識別凹部３８Ａ、３８Ｂと、装填部に設けられた誤挿入識別凸部と係合するとともに、このテープカートリッジ１を記録再生する。
【０１０７】
つぎに、このテープカートリッジの自動記録再生装置１００は、記録再生するテープカートリッジ１を交換する際、記録再生装置１０１の挿入口１０１Ａから吐き出されたテープカートリッジ１がチェンジャ装置１０３のアーム部材１０３Ａ、１０３Ｂによって挟持される。
【０１０８】
チェンジャ装置１０３は、アーム部材１０３Ａ、１０３Ｂによってテープカートリッジ１を挟持した状態で、アーム部材１０３Ａ、１０３Ｂをマガジンラック１０２側に平行移動することによって、テープカートリッジ１をマガジンラック１０２の収納部１０５へ搬送する。
【０１０９】
そして、チェンジャ装置１０３のアーム部材１０３Ａ、１０３Ｂによって挟持されたテープカートリッジ１は、図９及び図１０に示すように、フロントリッド６を収納部１０５の挿入口側に向けた状態で、マガジンラック１０２の収納部１０５に対して矢印Ｍ方向から挿入される。このテープカートリッジ１は、図１１に示すように、収納部１０５に収納された際、誤挿入識別凹部３８Ａ、３８Ｂに誤挿入識別凸部１０２Ａ、１０２Ｂが挿入されて係合する。
【０１１０】
なお、誤挿入識別凹部３８Ａ、３８Ｂは、図１１に示すように、金属製のベースプレート５に対向して設けられており、ベースプレート５の外周縁部との距離Ｎが比較的小さいため、ベースプレート５の剛性によって誤挿入識別凸部１０２Ａ、１０２Ｂと係合した際に変形することが防止されている。
【０１１１】
そして、チェンジャ装置１０３は、マガジンラック１０２の他の収納部１０５から他のテープカートリッジ１を取り出すとともに、他のテープカートリッジ１を記録再生装置１０１に搬送して装填する。
【０１１２】
また、テープカートリッジ１は、図１２及び図１３に示すように、マガジンラック１０２の収納部１０５に対して挿入される向きが誤って挿入された際、誤挿入識別凸部１０２Ａ、１０２Ｂにフロントリッド６に突き当てられるとともに、これら誤挿入識別凸部１０２Ａ、１０２Ｂを回動支点として収納部１０５の載置面上で回動してしまう。
【０１１３】
また、このテープカートリッジ１は、フロントリッド６の長手方向の略中央部に誤挿入識別凸部１０２Ａ、１０２Ｂが当接するため、これら誤挿入識別凸部１０２Ａ、１０２Ｂを回動支点として回動することに伴って、両側端部が大きく振られる。
【０１１４】
したがって、このテープカートリッジ１は、カートリッジ本体２が、誤挿入識別凸部１０２Ａ、１０２Ｂを回動支点とした大きな回動量が得られて、マガジンラック１０２の収納部１０５の挿入口から大きく突出するため、マガジンラック１０２の外方から誤挿入された状態が目視により容易かつ確実に識別される。
【０１１５】
また、マガジンラック１０２は、図１２に示すように、外形形状が同一寸法とされて用途が異なる他の仕様のテープカートリッジ１１０が装填された際も、このテープカートリッジ１００のリッドや外周部に、誤挿入識別凸部１０２Ａ、１０２Ｂが当接することによって、収納部１０５の挿入口から大きく突出するため、収納部１０５の外方から誤挿入された状態が目視により容易かつ確実に識別される。
【０１１６】
つぎに、上述した下ハーフ３に設けられる誤挿入識別凹部の位置とこれら誤挿入識別凹部の深さ寸法について、図１４、図１５及び図１６を参照して説明する。まず、下ハーフ３の図１４中に示す領域Ａ、Ｂ内に設けられた場合、誤挿入識別凹部１０７は、図１５に示すように、テープリール収納壁１２Ａ、１２Ｂと外周壁１１によって囲まれた領域内に位置しているため、テープリール９Ａ、９Ｂとの干渉を考慮する必要がないため、比較的に設定の自由度があり、深さ寸法ｈ１  に設定することができる。したがって、この誤挿入識別凹部１０７は、誤挿入識別凸部に対する良好な係合状態が確保される。
【０１１７】
また、誤挿入識別凹部は、図１４に示すように、ベースプレート５の外周縁部に対向する領域ａ、ｂ内に設けることによって、ベースプレート５に対する距離が近いため、ベースプレート５が有する剛性によって機械的剛性が向上される。
【０１１８】
また、下ハーフ３の図１４中に示す領域Ａ、Ｂ外である領域Ｃ、Ｄ内に設けられた場合、誤挿入識別凹部１０８は、図１６に示すように、テープリール９Ａ、９Ｂとの干渉を避けるために、下ハーフ３の底面部の肉厚内に設ける必要があり、深さ寸法ｈ１  に比較して小さい深さ寸法ｈ２  となってしまう。このため、この誤挿入識別凹部１０８は、誤挿入識別凸部に対して良好に係合されないおそれがある。
【０１１９】
したがって、下ハーフ３には、誤挿入識別凹部の位置を、後方側の外周壁１１と底面部とに跨って、領域Ａ、Ｂ内に設定することが可能とされるとともに、特に領域ａ、ｂ内に設定することがより効果的とされる。なお、記録再生装置１０１の装填部及びマガジンラック１０２の収納部１０５に立設される誤挿入識別凸部の位置及び高さ寸法は、下ハーフ３に設けれる誤挿入識別凹部の位置及び深さ寸法に応じて設定されることは勿論である。
【０１２０】
また、下ハーフ３には、誤挿入識別凹部３８Ａ、３８Ｂが、後方側の外周壁１１と底面部に跨って、後方側の外周壁１１の長手方向の略中央部に設けられる構成とされたが、誤挿入識別凹部が後方側の外周壁１１の中央部の１箇所のみに設けられる構成としてもよい。また、テープカートリッジ１は、下ハーフ３に誤挿入識別凹部３８Ａ、３８Ｂが設けられる構成とされたが、上ハーフ４の後方側の外周壁３１と底面部４Ａとに跨って、後方側の外周壁３１の長手方向の略中央部に誤挿入識別凹部が設けられる構成としてもよい。
【０１２１】
上述したように、実施の形態のテープカートリッジ１は、下ハーフ３の後方側の外周壁１１と底面部３Ａとに跨って、後方側の外周壁１１の長手方向の略中央部に位置して、誤挿入識別凹部３８Ａ、３８Ｂが設けられたことによって、マガジンラック１０２の収納部１０５に対して例えばフロントリッド６側から誤挿入された際、誤挿入識別凸部１０２Ａ、１０２Ｂを回動支点とした大きな回動量が確保されるため、収納部１０５の挿入口から突出する突出量が多い。このため、このテープカートリッジ１は、マガジンラック１０２の収納部１０５に対して誤挿入された状態を目視により容易かつ確実に識別することができる。
【０１２２】
また、テープカートリッジ１によれば、下ハーフ３に切り欠かれた誤挿入識別凹部３８Ａ、３８Ｂの切欠き面積が比較的小さいため、カートリッジ本体２の小型、薄型化が図られ、小型なテープカートリッジに適用されて好適である。
【０１２３】
さらに、このテープカートリッジ１が収納されるマガジンラック１０２は、収納部１０５に、下ハーフ３の後方側の外周壁１１に対向する突当面の長手方向の略中央部に位置して誤挿入識別凸部１０２Ａ、１０２Ｂが立設されているため、この収納部１０５に対して用途が異なる他の仕様のテープカートリッジ１１０が誤挿入された状態を目視により容易かつ確実に識別することができる。
【０１２４】
また、テープカートリッジ１は、下ハーフ３にインサート成形されたインサートプレート５の外周縁部に対向する位置に誤挿入識別凹部３８Ａ、３８Ｂが設けられることによって、これら誤挿入識別凹部３８Ａ、３８Ｂの機械的剛性が向上されるため、誤挿入識別凹部３８Ａ、３８Ｂと誤挿入識別凸部１０２Ａ、１０２Ｂとが係合した際に、誤挿入識別凹部１０２Ａ、１０２Ｂが変形することを防止することができる。
【０１２５】
また、上述したテープカートリッジ１は、ベースプレート５がインサート成形された下ハーフ３が採用されたが、樹脂材料のみによって成形された図１７に示す下ハーフ１０９を採用してもよい。
【０１２６】
下ハーフ１０９には、図１７に示すように、底面部１０９Ａに、図示しないテープリール収納部の中央部に位置して、円形のリール穴１１１（１１１Ａ、１１１Ｂ）がそれぞれ開設されている。また、この下ハーフ１０９には、後方側の底面部１０９Ａに、図１７に示すように、テープ仕様識別穴１１３（１１３Ａ、１１３Ｂ）、誤消去防止穴１１４、位置決め穴１１５等が設けられている。
【０１２７】
そして、この下ハーフ１０９には、後方側の外周壁と底面部１０９Ａとに跨って、後方側の外周壁の長手方向の略中央部に位置して略矩形状に切り欠かれて誤挿入識別凹部１１２Ａ、１１２Ｂがそれぞれ設けられている。
【０１２８】
なお、本発明に係るテープカートリッジは、データ記録用のテープカートリッジ１以外に、リッド構体が無いテープカートリッジや、８ｍｍ幅や１／４インチ幅等の多様なテープ幅の磁気テープが収納されたテープカートリッジにも適用される。また、テープカートリッジは、カートリッジ本体２を共通として、磁気テープ８に代えてクリーニングテープを収納したクリーニングテープカートリッジにも適用される。
【０１２９】
また、本発明に係るテープカートリッジは、リッド構体を、フロントリッド６と、バックリッド７の２つのリッドによって構成した実施の形態テープカートリッジ１以外に、例えばバックリッド７が二分されて連結され、側面ガイドリブ１７に形成したリッドガイド溝１９に規制されて動作するように構成したテープカートリッジにも適用される。
【０１３０】
【発明の効果】
上述したように本発明に係るテープカートリッジによれば、カートリッジ本体を構成するいずれか一方のハーフに、誤挿入識別凹部が、後方側の外周壁と底面部とに跨って、後方側の外周壁の長手方向の略中央部に位置して設けられることによって、収納部に対してカートリッジ本体が誤挿入された際に、収納部に対するカートリッジ本体の回動量が大きいため、収納部に対するテープカートリッジの誤挿入を目視により容易かつ確実に識別することができる。
【０１３１】
また、このテープカートリッジによれば、誤挿入識別凹部の切欠き面積が比較的小さいため、カートリッジ本体の小型、薄型化を実現できる。
【０１３２】
また、テープカートリッジは、下ハーフにインサート成形された金属プレートの外周縁部に対向する位置に誤挿入識別凹部が設けられることによって、この誤挿入識別凹部の機械的剛性が向上されるため、誤挿入識別凹部と誤挿入識別凸部とが係合した際に、誤挿入識別凹部が変形することを防止することができる。
【図面の簡単な説明】
【図１】本発明に係る実施の形態のテープカートリッジを示す斜視図である。
【図２】上記テープカートリッジを示す分解斜視図である。
【図３】上記テープカートリッジのカートリッジ本体を構成する下ハーフを示す平面図である。
【図４】上記下ハーフを示す底面図である。
【図５】上記テープカートリッジを示す背面図である。
【図６】上記テープカートリッジを示す右側面図である。
【図７】上記テープカートリッジのカートリッジ本体を構成する上ハーフを示す底面図である。
【図８】上記テープカートリッジが用いられるテープカートリッジの自動記録再生装置を示す斜視図である。
【図９】上記テープカートリッジがマガジンラックに収納される状態を説明するために示す底面図である。
【図１０】上記テープカートリッジがマガジンラックに収納される状態を説明するために示す縦断面図である。
【図１１】上記テープカートリッジがマガジンラックに収納される状態を説明するために示す縦断面図である。
【図１２】上記テープカートリッジがマガジンラックに収納される状態を説明するために示す斜視図である。
【図１３】上記テープカートリッジがマガジンラックに収納される状態を説明するために示す底面図である。
【図１４】上記下ハーフに設けられる誤挿入識別部の位置を説明するために示す平面図である。
【図１５】上記下ハーフに設けられる誤挿入識別凹部の深さ寸法を説明するために示すＥ−Ｅ断面図である。
【図１６】上記下ハーフに設けられる誤挿入識別凹部の深さ寸法を説明するために示すＦ−Ｆ断面図である。
【図１７】上記テープカートリッジのカートリッジ本体を構成する他の下ハーフの一例を示す底面図である。
【図１８】従来のテープカートリッジのカートリッジ本体を構成する下ハーフを示す底面図である。
【図１９】従来のテープカートリッジのカートリッジ本体を構成する下ハーフを示す底面図である。
【符号の説明】
１  テープカートリッジ、２  カートリッジ本体、３下ハーフ、４  上ハーフ、５  ベースプレート（金属プレート）、１１  外周壁、３８Ａ，３８Ｂ  誤挿入識別凹部、１０２Ａ，１０２Ｂ  誤挿入識別凸部、１０５  収納部
【図１】
0003550857.tif 000002
【図２】
0003550857.tif 000003
【図３】
0003550857.tif 000004
【図４】
0003550857.tif 000005
【図５】
0003550857.tif 000006
【図６】
0003550857.tif 000007
【図７】
0003550857.tif 000008
【図８】
0003550857.tif 000009
【図９】
0003550857.tif 000010
【図１０】
0003550857.tif 000011
【図１１】
0003550857.tif 000012
【図１２】
0003550857.tif 000013
【図１３】
0003550857.tif 000014
【図１４】
0003550857.tif 000015
【図１５】
0003550857.tif 000016
【図１６】
0003550857.tif 000017
【図１７】
0003550857.tif 000018
【図１８】
0003550857.tif 000019
【図１９】
0003550857.tif 000020